(57)【特許請求の範囲】
【請求項１】
釣り用リールの動作情報を表示する表示装置であって、
前記動作情報を記憶する記憶部と、
前記動作情報を表示する表示部と、
前記記憶部および前記表示部に駆動電力を供給する２次電池と、
釣り用リール本体に備えられ、前記記憶部と前記表示部と前記２次電池とが封入された本体部と、
前記釣り用リール本体とは別に設けられ、磁界発生コイルと前記磁界発生コイルに交流を印加する交流供給手段とを含み、外部の電源に接続されて磁界を発生する磁界発生器と、
前記本体部に封入され、前記２次電池に接続され、前記磁界発生器の磁界により誘導電流を発生する電流発生コイルを含む電流発生器を備え、前記本体部の外部から前記２次電池に電力を供給するための給電部とを備え、
前記外部の電源が直流電源であり、
前記交流供給手段が前記直流電源からの直流を交流に変換する直流交流変換器を有する
釣り用リールの表示装置。
【請求項２】
釣り用リール本体に備えられ釣り用リールの動作情報を表示する表示装置であって、
前記動作情報を記憶する記憶部と、
前記動作情報を表示する表示部と、
前記記憶部および前記表示部に駆動電力を供給する２次電池と、
前記記憶部と前記表示部と前記２次電池とが封入された本体部と、
前記本体部の外部で前記釣り用リール本体に備えられた外部電池と前記外部電池と前記本体部内の前記２次電池とを物理的に接続する配線路とを有し、前記本体部の外部から前記２次電池に電力を供給するための給電部と
を備える釣り用リールの表示装置。
【請求項３】
リール本体と、
前記リール本体に回転自在に支持され、外周に釣糸が巻き付けられるスプールと、
前記リール本体に配置され、前記スプールを含む釣り用リールの動作情報を取得する動作情報取得手段と、
前記請求項１又は２に記載の表示装置であって、前記動作情報取得手段で取得された動作情報が前記記憶部および前記表示部に伝達される表示装置と
を備える釣り用リール。
【発明の詳細な説明】
【０００１】
【産業上の利用分野】
本発明は、釣り用リールの表示装置および釣り用リールに関する。
【０００２】
【従来の技術】
釣り用リールに、釣り糸の繰り出し量などを表示する液晶表示パネルなどからなる表示装置を備えたものがある。
【０００３】
このような表示装置は、釣り糸の繰り出し量やスプールの回転量、ドラグ力の大きさなど釣りに必要な各種情報を検知するセンサ、これらセンサで検知された情報を記憶するメモリ、目的の情報を表示する表示パネル、情報を演算したり各機構を制御するマイクロコンピュータを組み込んだ制御回路などで構成されている。
【０００４】
表示装置を駆動する電源には通常、カメラなどに使用されているようなボタン型の電池が用いられ、表示装置の内部に電池が装着される。ボタン型電池は電力を消耗して電池寿命が尽きると交換しなければならない。
【０００５】
釣り用リールは野外で使用され、雨や海水あるいは塵埃などが接触することは避けられない。前記表示装置の内部機構や電池は、水分や塩分あるいは異物が付着すると動作異常や腐食を起こし易いので、電池を含む表示装置は全体が耐水性のある密封構造になっている。
【０００６】
ところが、密封構造になった表示装置では電池の交換が行い難い。カメラ等では、装置本体に電池交換用の着脱自在な蓋が設けられ、この蓋にはＯリングなどの密封機構が設けられている。しかし、カメラ等に比べてはるかに過酷な環境条件で使用される釣り用リールの場合、蓋の部分を厳重な密封構造にしたとしても、水分などの浸入を十分に阻止することができない。また、一般消費者が電池の交換を行えるようになっている場合、蓋を密閉が不完全になったり、蓋を開いている間に内部に水分などが浸入したりして、密封機能が損なわれることになる。
【０００７】
そのため、従来の釣り用リールにおける表示装置では、通常は電池の交換が行えないようになっている。電池が消耗したときには、釣り用リール全体を製造元に送り返して、そこで表示装置の密封を解き電池を交換し、再び表示装置を密封処理していた。
【０００８】
【発明が解決しようとする課題】
電池交換のたびに、釣り用リール全体を製造元に送り返したり表示装置の密封解除および再密封作業を行ったりするのは大変に面倒であり、それに要するコストも高くつく。
【０００９】
本発明の目的は、釣り用リールの表示装置として、電池交換の煩わしい手間を省き、電池を含む表示装置全体の密封性を損なうことなく長期間にわたって使用し続けることができるようにすることにある。また、このような表示装置を備えた釣り用リールを提供することにある。
【００１０】
【課題を解決するための手段】
発明１に係る釣り用リールの表示装置は、釣り用リールの動作情報を表示する表示装置であって、動作情報を記憶する記憶部と、動作情報を表示する表示部と、記憶部および表示部に駆動電力を供給する２次電池と、釣り用リール本体に備えられ、記憶部と表示部と２次電池とが封入された本体部と、釣り用リール本体とは別に設けられ、磁界発生コイルと磁界発生コイルに交流を印加する交流供給手段とを含み、外部の電源に接続されて磁界を発生する磁界発生器と、本体部に封入され、２次電池に接続され、磁界発生器の磁界により誘導電流を発生する電流発生コイルを含む電流発生器を備え、本体部の外部から２次電池に電力を供給するための給電部とを備え、外部の電源が直流電源であり、交流供給手段が直流電源からの直流を交流に変換する直流交流変換器を有する。
【００１１】
発明２に係る釣り用リールの表示装置は、釣り用リール本体に備えられ釣り用リールの動作情報を表示する表示装置であって、動作情報を記憶する記憶部と、動作情報を表示する表示部と、記憶部および表示部に駆動電力を供給する２次電池と、記憶部と表示部と２次電池とが封入された本体部と、本体部の外部で釣り用リール本体に備えた外部電池と外部電池と本体部内の２次電池とを物理的に接続する配線路とを有し、本体部の外部から２次電池に電力を供給するための給電部とを備える。
【００１２】
発明３に係る釣り用リールは、リール本体と、リール本体に回転自在に支持され、外周に釣糸が巻き付けられるスプールと、リール本体に配置され、スプールを含む釣り用リールの動作情報を取得する動作情報取得手段と、前記発明１又は２に記載の表示装置であって、動作情報取得手段で取得された動作情報が記憶部および表示部に伝達される表示装置とを備える。
【００１３】
【作用】
発明１に係る釣り用リールの表示装置では、電力が消耗しても充電して再利用が可能な電池すなわち２次電池を、記憶部および表示部とともに本体部に封入しているので、本体部の内部構造に水分や塩分、塵埃などが浸入するのを確実に阻止することができる。本体部の外部から給電部を経て２次電池に電力を供給すれば、２次電池を本体部の外に取り出すことなく充電して繰り返し使用することができる。本体部には２次電池交換用の蓋などの機械的構造が不要になり構造の簡素化が図れる。２次電池と記憶部や表示部との間の配線構造を２次電池の交換のために切離し可能な構造にしておく必要がないので、配線の接続が簡単かつ確実になり電気的性能も向上する。また、磁界発生器の磁界で本体部に封入された電流発生器に誘導電流が発生し、この誘電電流が２次電池に供給されて充電が行われる。磁界発生器の磁界は合成樹脂等を容易に通過するので、電流発生器と磁界発生器との間に本体部を密封する壁構造が存在していても何ら問題なく電流発生器に誘導電流を発生させることができる。電流発生器と磁界発生器との間には電気的接触が必要ないので、接触不良による充電不良は生じない。充電用の電気接点が表示装置の表面に露出しないので、電気接点の腐食および腐食に伴う性能低下もない。さらに、磁界発生器において交流供給手段から磁界発生コイルに交流を供給して磁界を発生させる。電流発生器では磁界中に配置された電流発生コイルに誘導電流が発生する。磁界発生コイルおよび電流発生コイルは小型かつ簡単な構造であり、しかも、効率的に磁界あるいは誘導電流を発生させることができる。さらにまた、直流交流変換器を備えているので、磁界発生器の電源に自動車用電源などの蓄電池や１次電池などの直流電源が使用できる。
【００１４】
発明２に係る釣り用リールの表示装置では、電力が消耗しても充電して再利用が可能な電池すなわち２次電池を、記憶部および表示部とともに本体部に封入しているので、本体部の内部構造に水分や塩分、塵埃などが浸入するのを確実に阻止することができる。本体部の外部から給電部を経て２次電池に電力を供給すれば、２次電池を本体部の外に取り出すことなく充電して繰り返し使用することができる。本体部には２次電池交換用の蓋などの機械的構造が不要になり構造の簡素化が図れる。２次電池と記憶部や表示部との間の配線構造を２次電池の交換のために切離し可能な構造にしておく必要がないので、配線の接続が簡単かつ確実になり電気的性能も向上する。また、本体部内の２次電池を配線路で外部電池と物理的に接続しておくので、２次電池を本体部に封入した状態でも２次電池に電力を供給することができる。釣り用リールにはクラッチ作動用のソレノイドなどを駆動する電源として外部電池を備える場合があるので、このような外部電池の電力を利用すれば、釣り用リールとは別に磁界発生器などの電力供給装置を備えておく必要がない。
【００１５】
発明３に係る釣り用リールは、動作情報取得手段で得られた動作情報を表示装置に伝達して記憶させたり表示させたりする。表示装置が前記各発明の構造を備えていれば、表示装置の密封性を損なうことなく２次電池への電力供給が容易に行えるので、表示装置の電源交換に要する手間が省ける。
【００１６】
【実施例】
図１に示す釣り用リールは、リール本体１と、リール本体１の側方に配置されたスプール回転用ハンドル２と、ハンドル２のリール本体１側に配置されたドラグ調整用のスタードラグ３とを備えている。リール本体１の上部に表示装置４が配置されている。表示装置４には釣り針の深さ位置等を数字や記号で表す液晶表示パネル５と各種の操作キー６とが配置されている。操作キー６には動作モードを設定するためのスイッチや液晶表示パネル５の表示内容を切り換えるためのスイッチなどが含まれる。表示装置４には表示装置４を駆動するための電力を供給する２次電池４８が内蔵されている。
〔リール本体の全体構造〕
リール本体１は、対向して配置された１対の側板を有するフレーム１０と、フレーム１０の両側方に配置されたカバー１１とを有している。フレーム１０の中央部には釣り糸が巻き付けられるスプール１２が回転自在に配置されている。
【００１７】
図２に示すように、フレーム１０およびカバー１１の内部にはスプール１２を回転駆動するための駆動系が設けられている。駆動系には、複数のギアで構成されスプール軸１２とハンドル軸２１との間で回転力を伝達するギア列からなる減速機構２０、ハンドル軸２１に装着され摩擦プレートやばねが組み合わせられてドラグ力を発生させるドラグ機構２２、スプール軸１２とハンドル軸２１との間で回転を伝達したり切ったりするクラッチ機構２４を備えている。ドラグ機構２２のドラグ力はスタードラグ３の操作で調節される。減速機構２０には、スプール軸１２に軸方向に移動自在に支持されたピニオンギア３６とピニオンギア３６に噛み合うメインギア３５とを含む。クラッチ機構２４は、ピニオンギア３６とメインギア３５との噛み合いによる回転力の伝達をつないだり切ったりして、クラッチのオン／オフを行う。
【００１８】
また、スプール軸１２と並んで左右のカバー１１、１１にかけて釣糸ガイド機構１４が支持されている。釣糸ガイド機構１４には、ギア機構１５を介してスプール軸１２の回転が伝達される。釣糸ガイド機構１４に備えた釣糸ガイドが軸方向に往復作動し、釣糸のスプール軸１２への釣糸の巻き込みおよび引き出しを案内する。
〔クラッチ操作機構〕
図３に示すように、クラッチ機構２４は、カバー１１内に設けられたクラッチ操作機構によってクラッチをオン／オフできる。クラッチ操作機構には、カバー１１から上方に突出して揺動自在に配置されたクラッチレバー６０と、クラッチレバー６０の揺動により進退しクラッチレバー６０から遠い先端側が二股に分かれたクラッチプレート６１と、クラッチプレート６１の先端側途中に有するカム突起６３に押動されて図３の紙面と直交する方向に進退するクラッチヨーク６２とを有する。クラッチヨーク６２はピニオンギア３６と係合していて、ピニオンギア３６をメインギア３５に噛み合わせたり噛み合いを解除したりして、クラッチのオン／オフを行う。なお、クラッチレバー６０およびクラッチヨーク６２は図示しないスプリングによりクラッチオン側に常に付勢されている。
【００１９】
クラッチプレート６１の下方には、クラッチプレート６１の二股になった先端の片側外周に係合可能でクラッチプレート６１をクラッチオフ位置に維持するロック部材６５と、クランク機構などを介してロック部材６５をクラッチプレート６１に向かって進退作動させるソレノイド６６を有する。ロック部材６５がクラッチプレート６１に係合している状態では、クラッチプレート６１はクラッチオンすなわちクラッチレバー６０側には移動できない。ソレノイド６６を作動させてロック部材６５とクラッチプレート６１との係合を解けば、クラッチプレート６１がクラッチオン側に移動できるようになる。ソレノイド６６は、カバー１１に着脱自在に収容された乾電池６７に接続されたコンデンサ６８から供給される電力によって駆動される。
【００２０】
ハンドル軸２１にはラチェット７０を有し、ラチェット７０に噛み合い自在なラチェット爪７１を有する。ラチェット爪７１がラチェット７０に噛み合った状態では、ハンドル軸２１の１方向（図３では反時計方向）への回転が阻止される。ラチェット爪７１の噛み合いを解除すれば、ハンドル軸２１は両方向に回転できる。ラチェット７０には、クラッチプレート６１に当接可能なロック解除用のロッド７２を有する。クラッチオフ状態でハンドル軸２１を回すと、ラチェット７０が時計方向に回転し、ロッド７２がクラッチプレート６１の片側の先端を外側に押してクラッチプレート６１を揺動させる。クラッチプレート６１が揺動すると、クラッチプレート６１とロック部材６５との係合が外れ、クラッチプレート６１がスプリングの付勢力によってクラッチオン側へと移動する。
〔表示装置〕
図４に示すように、表示装置４は、合成樹脂の成形品からなり外形が矩形板状で内部に空洞を有する本体部４０を備えている。本体部４０は上下に分割成形された半体４１、４１が嵌め合わせられ、接着や熱融着等の手段で密封一体化されている。
【００２１】
本体部４０には回路基板４２が収容されている。回路基板４２の上下面には、マイクロコンピュータチップ、メモリ、その他の電子部品が実装されて回路部４３を構成している。回路基板４２の上面側には液晶表示パネル５が実装され回路部４３に接続されている。本体部４０のうち液晶表示パネル５の上面に設けられた開口には、ガラスや合成樹脂からなる透明板４４が嵌め込まれ、液晶表示パネル５の表示内容が本体部４０の外部から見えるようになっている。本体部４０への透明板４４の装着個所はパッキンや封止剤で密封されている。回路部４３につながる配線４５が、表示装置４の外部に引き出され、釣り用リールの各部の動作情報を取得するためのセンサ（図示せず）に接続されている。センサとしては、スプール軸１２の回転数を検知するセンサ、釣糸ガイド機構１４に配置されて釣糸の繰り出し巻き上げ量を検知するセンサなどがある。配線４５が本体部４０を貫通する個所は密封処理されていて、水分などが本体部４０内に浸入しないようになっている。
【００２２】
本体部４０にはボタン型のカーボンリチウム電池からなる２次電池４８が収容されている。２次電池４８は回路基板４２上に固定された状態で取り付けられ、回路部４３と電気的に接続されている。
【００２３】
図５に、表示装置４の電気的制御構造を表している。マイクロコンピュータなどからなる制御部４００に、操作キー６およびセンサ４０６の信号が入力される。制御部４００には、情報を記憶するメモリ４０２、情報を表示する液晶表示パネル５、制御部４００を介してメモリ４０２および液晶表示パネル５に電力を供給する２次電池４８が接続されている。また、制御部４００には前記したクラッチ作動用のソレノイド６６も接続されている。ソレノイド６６にはコンデンサ６８を介してソレノイド用電池６７が接続されている。図２に示すように、乾電池からなるソレノイド用電池６７は、リール本体１に設けられた電池収容空間６９に装着され、電池が消耗すれば交換される。電池収容空間６９には着脱自在な蓋６９ａを備えている。
【００２４】
２次電池４８には電流発生器４１０が接続されている。電流発生器４１０は前記制御部４００とともに回路基板４２の回路部４３を構成する。
【００２５】
電流発生器４１０に対応して、磁界発生器４２０と磁界発生器４２０に電力を供給する外部電源４３０が配置される。但し、磁界発生器４２０および外部電源４３０は表示装置４および釣り用リールとは別装置となっている。
〔２次電池への給電手段〕
図６に示すように、電流発生器４１０は、鉄心に巻回された電流発生コイル４１２と、電流発生コイル４１２で発生した交流の誘導電流を整流する整流器４１３と、電流発生器４１０を制御し整流器４１３で整流された電流を送り出す電流発生器制御部４１６とを有する。電流発生器４１０には２次電池４８が接続されており、電流発生器４１０で発生した電流が２次電池４８に蓄えられる。２次電池４８は前記制御部４００に接続されている。電流発生器４１０の電流発生コイル４１２は、表示装置４の本体部４１内で外壁に近い場所に配置されていて、外部からの磁界による誘導電流の発生が効率良く行えるようになっている。
【００２６】
磁界発生器４２０は、直流交流変換器すなわちＤＣ−ＡＣコンバータ４２６を介して１２Ｖの直流電源４３０に接続されている。この直流電源４３０としては、自動車用バッテリーなどが利用できる。直流電源４３０から供給された直流電流がＤＣ−ＡＣコンバータ４２６を経て磁界発生に適した交流電流に変換される。磁界発生器４２０は、鉄心に巻回された磁界発生コイル４２２と、ＤＣ−ＡＣコンバータ４２６から供給された電流を制御して磁界発生コイル４２２に供給する磁界発生器制御部４２４とを有する。
【００２７】
磁界発生コイル４２２に電流が供給されると磁界が発生する。磁界発生コイル４２２を電流発生コイル４１２に近づけると、磁界中に置かれた電流発生コイル４１２に誘導電流が発生する。電流発生コイル４１２で発生した誘導電流は２次電池４８に蓄えられる。
〔別の実施例１〕
図７に示す給電装置は、磁界発生器４２０への給電手段として、前記実施例の直流電源４３０に変えて商用交流電源に接続自在なプラグ４２８を備えている。プラグ４２８に供給された商用交流電流は磁界発生器４２０の制御部４２４で磁界発生に適した周波数の交流電流に変換されて磁界発生コイル４２２に供給される。電流発生器４１０の構造および電流の発生機構は前記実施例と同様である。〔別の実施例２〕
図８に示す装置は、基本的な構成は前記図５に示す実施例と共通するが、２次電池４８に電力を供給するための手段が異なる。
【００２８】
２次電池４８がソレノイド用電池６７と接続されている。具体的には、ソレノイド用電池６７から電力を取り出す配線回路の一部が、表示装置４内に装着された２次電池４８につながる配線４５に接続されている。ソレノイド６６を作動させるためにソレノイド用電池６７からコンデンサ６８に電流を流す際に２次電池４８へも電流を流して充電を行う。したがって、２次電池４８に充電するための特別な作業や操作を行わなくても、ソレノイド６６を作動させる毎に自動的に２次電池４８への充電が行われる。
【００２９】
なお、２次電池４８からソレノイド用電池６７およびソレノイド６６側へと電流が逆流しないように、ダイオードなどからなる逆流防止回路を設けておくことができる。
【００３０】
また、表示装置４の制御部４００に、ソレノイド用電池６７から２次電池４８への電力供給を制御するスイッチを設けて手動で操作したり、２次電池４８の充電量を制御部４００で検知して、ソレノイド用電池６７から２次電池４８への電力供給を制御したりすることもできる。
【００３１】
この実施例では、前記した磁界発生器４２０や電流発生器４２０の構造は不要である。
〔別の実施例３〕
この実施例は、スプール１２をモータで駆動する電動式の釣り用リールに本発明を適用した場合である。
【００３２】
図９に示すように、釣り用リールの基本的な構造は前記実施例と共通している。但し、スプール１２にはスプール用モータ１２０が内蔵され、このモータでスプール１２が回転される。勿論、ハンドル２によるスプール１２の回転も可能である。スプール用モータからスプール１２への回転伝達機構は、通常の電動リールと同様である。
【００３３】
図１０に示すように、表示装置４の基本的な制御構造は前記した図５に示す実施例の場合と共通している。そして、スプール用モータ１２０は制御部４００で電気的に制御される。スプール用モータ１２０およびソレノイド６６は、先端に電源プラグ８１を備えた電源コード８０に接続されている。電源プラグ８１を、釣り用リールとは別に設けられた外部電源に接続することによって、スプール用モータ１２０およびソレノイド６６に電力が供給される。外部電源には、バッテリーなどの直流電源あるいは商用交流電源の何れを使用することもできる。
【００３４】
上記実施例では、電源コード８０に供給された電力を、そのままスプール用モータ１２０およびソレノイド６６に供給しているが、釣り用リールのリール本体１に、ソレノイド６６およびスプール用モータ１２０に電力を供給する充電池を装着しておき、この充電池を電源コード８０に接続しておくことができる。この場合は、充電池に充電するときだけ電源プラグ８０を外部電源に接続して、通常の釣り使用時には釣り用リールだけを単独で取り扱い操作することができる。
【００３５】
電源コード８０を釣り用リールに対して着脱自在に取り付けておき、電力供給が必要なときだけ電源コード８０で外部電源と釣り用リールとを電気的に接続することもできる。
〔その他の実施例〕
(a) 釣り用リールおよび表示装置４の基本的な構造は、前記各実施例に限らず、通常の手動式あるいは電動式の釣り用リールの構造を自由に組み合わせて実施することができる。例えば、両軸受リール、片軸受リール、スピニングリールなどに適用できる。
【００３６】
(b) ２次電池４８は、通常の釣り用リールに利用されている材料および構造からなるものが使用できる。具体的には、カーボンリチウム２次電池などが使用できる。２次電池４８の電圧や電気容量などの特性は、表示装置４の構造や釣り用リールの使用目的などの条件に合わせて設定される。
【００３７】
２次電池４８の電圧が、表示装置４の回路部４３の駆動に必要な電圧と異なる場合には、回路部４３に昇圧回路などの電圧調整機構を備えておくことができる。
【００３８】
(c) 前記実施例のように、磁界発生器４２０と電流発生器４１０とを組み合わせれば、磁界と誘導電流を利用した非接触式の給電手段が構成できるが、磁界の発生機構および誘導電流の発生機構の具体的構造については、前記実施例以外にも各種電気装置における機構が採用できる。
【００３９】
なお、充電作業中、磁界発生器４２０を電流発生器４１０に対して適切な位置に配置しておくために、表示装置４の一部に磁界発生器４２０との着脱自在な連結手段や係合手段を備えておくこともできる。この場合、磁界発生器４２０と表示装置４とは物理的には非接触ではないが、電流発生器４１０と磁界発生器４２０とが電気的に非接触であることには変わりがない。
【００４０】
【発明の効果】
発明１に係る釣り用リールの表示装置は、表示装置の本体部に封入された２次電池を、外部に取り出すことなく容易に充電して繰り返し使用することができるので、２次電池の交換のために表示装置の密封を解除したり再密封したりする手間が省ける。表示装置には２次電池交換のための構造が要らないので、表示装置の構造が簡単になり密封性や電気的性能も向上する。また、表示装置の内部に密封された２次電池に、表示装置の外部から磁界発生器で充電することができるので、表示装置の密封性を何ら損なうことなく容易かつ効率的に２次電池の充電作業が行える。さらに、磁界発生コイルと電流発生コイルを利用して磁界の発生および誘導電流の発生を行うので、磁界発生器および電流発生器の構造が簡単かつ小型化され、２次電池への電力供給を効率的に行うことができる。さらにまた、蓄電池や充電池などの直流電源が利用できるので、釣り用リールを屋外や配線設備のない場所などで使用している場合でも、２次電池への電力供給が容易に行える。
【００４１】
発明２に係る釣り用リールの表示装置は、表示装置の本体部に封入された２次電池を、外部に取り出すことなく容易に充電して繰り返し使用することができるので、２次電池の交換のために表示装置の密封を解除したり再密封したりする手間が省ける。表示装置には２次電池交換のための構造が要らないので、表示装置の構造が簡単になり密封性や電気的性能も向上する。また、２次電池への電力供給源として釣り用リールに備えられているソレノイド用電池などの外部電池を利用するので、釣り用リールとは別に電力を供給する装置や手段を備えておく必要がなく、構造が簡単である。
【００４２】
発明３に係る釣り用リールは、表示装置の密封性を損なうことなく２次電池への電力供給が容易に行えるので、表示装置の電源交換に要する手間が省ける。
【図面の簡単な説明】
【図１】本発明の一実施例を示す釣り用リールの正面図
【図２】前記釣り用リールの断面図
【図３】前記釣り用リールのクラッチ機構部分を表す断面図
【図４】前記釣り用リールの表示装置部分を表す断面図
【図５】前記釣り用リールの表示装置部分の制御ブロック図
【図６】前記釣り用リールの給電手段を表すブロック構造図
【図７】給電手段の別の実施例を表すブロック構造図
【図８】別の実施例を表す表示装置部分の制御ブロック図
【図９】別の実施例を表す釣り用リールの一部断面正面図
【図１０】前記釣り用リールの表示装置部分の制御ブロック図
【符号の説明】
１  リール本体
４  表示装置
５  液晶表示パネル
６  操作キー
１２  スプール
４８  ２次電池
４０  本体部
４１、４１  半体
４２  回路基板
４３  回路部
６７  ソレノイド用電池
４００  制御部
４０２  メモリ
４０６  センサ
４１０  電流発生器
４２０  磁界発生器
４３０  外部電源
【図１】
0003545095.tif 000002
【図２】
0003545095.tif 000003
【図３】
0003545095.tif 000004
【図４】
0003545095.tif 000005
【図５】
0003545095.tif 000006
【図６】
0003545095.tif 000007
【図７】
0003545095.tif 000008
【図８】
0003545095.tif 000009
【図９】
0003545095.tif 000010
【図１０】
0003545095.tif 000011